(57)【特許請求の範囲】
【請求項１】
水を加熱して第１の湯を生成する第１加熱手段と、
前記第１加熱手段により生成された前記第１の湯を貯湯する貯湯タンクと、
前記貯湯タンクから取水した前記第１の湯と市水との熱交換により当該市水を予熱する熱交換器と、
前記熱交換器により予熱された前記市水を加熱して第２の湯を生成する第２加熱手段と、
前記貯湯タンクから取水した前記第１の湯、又は、前記第２加熱手段により生成された前記第２の湯を給湯する制御手段と、を備え、
前記市水の供給元となる給水端と前記第１の湯及び前記第２の湯の供給先となる給湯端とに対して、前記貯湯タンクと前記第２加熱手段とが並列に接続されており、
前記給水端と前記貯湯タンクの入水流路との間に、減圧弁が設けられており、
前記第２加熱手段の入水流路を、前記給水端と前記減圧弁との間から分岐させ、前記貯湯タンクに流入する圧力と前記第２加熱手段に流入する圧力とを異ならせている、
貯湯式給湯機。
【請求項２】
前記制御手段は、前記貯湯タンクに貯湯されている前記第１の湯の蓄熱量が１回の給湯時に定められた規定値以上であれば、前記第１の湯を前記貯湯タンクから取水して給湯し、前記蓄熱量が前記規定値未満であれば、前記第２の湯を前記第２加熱手段に生成させて給湯する、
請求項１に記載の貯湯式給湯機。
【請求項３】
前記制御手段は、浴槽に湯を給湯する際に、前記第２の湯を前記第２加熱手段に生成させて給湯する、
請求項１又は２に記載の貯湯式給湯機。
【請求項４】
前記熱交換器には、前記貯湯タンクから取水した前記第１の湯が流れる一次側流路と、前記市水が流れる二次側流路とが設けられており、
前記制御手段は、前記一次側流路の出口温度と前記二次側流路の入力温度との温度差が、予め定められた値を維持するように、前記一次側流路に流す前記第１の湯を循環させるポンプの回転数を制御する、
請求項１から３の何れか１項に記載の貯湯式給湯機。
【請求項５】
前記熱交換器には、前記貯湯タンクから取水した前記第１の湯が流れる一次側流路と、前記市水が流れる二次側流路とが設けられており、
前記制御手段は、前記一次側流路の流量と前記二次側流路の流量との比率が、予め定められた値を維持するように、前記一次側流路に流す前記第１の湯を循環させるポンプの回転数を制御する、
請求項１から３の何れか１項に記載の貯湯式給湯機。
【請求項６】
前記熱交換器には、前記貯湯タンクから取水した前記第１の湯が流れる一次側流路と、前記市水が流れる二次側流路とが設けられており、
前記制御手段は、前記二次側流路の出口温度が、予め定められた値を維持するように、前記一次側流路に流す前記第１の湯を循環させるポンプの回転数を制御する、
請求項１から３の何れか１項に記載の貯湯式給湯機。
【請求項７】
前記熱交換器には、前記貯湯タンクから取水した前記第１の湯が流れる一次側流路と、前記市水が流れる二次側流路とが設けられており、
前記制御手段は、前記二次側流路の出口温度が、前記第２加熱手段に定められた上限値を維持するように、前記一次側流路に流す前記第１の湯を循環させるポンプの回転数を制御する、
請求項１から３の何れか１項に記載の貯湯式給湯機。
【請求項８】
前記熱交換器には、前記貯湯タンクから取水した前記第１の湯が流れる一次側流路と、前記市水が流れる二次側流路とが設けられており、
前記制御手段は、前記二次側流路の流量が予め定められた値以上となると、前記一次側流路に流す前記第１の湯を循環させるためのポンプを稼働させる、
請求項１から３の何れか１項に記載の貯湯式給湯機。
【請求項９】
前記熱交換器により熱交換された前記第１の湯は、前記貯湯タンクの下部に戻され、
前記制御手段は、前記貯湯タンクに貯湯されている前記第１の湯の蓄熱量が第１の下限値を下回ると、前記第２の湯を前記第２加熱手段に生成させて給湯し、前記第１の湯の蓄熱量が当該第１の下限値よりも少ない第２の下限値を下回ると、前記貯湯タンクの下部から取水した水を前記第１加熱手段に供給して再加熱させる、
請求項１から８の何れか１項に記載の貯湯式給湯機。
【請求項１０】
前記熱交換器には、前記貯湯タンクの上部から取水した前記第１の湯が流れる一次側流路と、前記市水が流れる二次側流路とが設けられており、
ポンプの吸入流路には、前記一次側流路と、前記貯湯タンクの下部から取水した水が流れる流路とを切り換える吸入切換弁が設けられており、
前記ポンプの吐出流路には、前記第１加熱手段の入水流路と、前記貯湯タンクの下部に水を流入させる流路とを切り換える吐出切換弁が設けられている、
請求項１から３の何れか１項に記載の貯湯式給湯機。
【請求項１１】
前記制御手段は、前記第２の湯を前記第２加熱手段に生成させて給湯する間接給湯運転と、前記貯湯タンクの下部から取水した水を前記第１加熱手段に供給して前記第１の湯を生成させる沸き上げ運転とを同時に行う場合に、前記吐出切換弁を制御して、前記第１加熱手段に流入させる水と、前記貯湯タンクの下部に流入させる水との流量比を調整する、
請求項１０に記載の貯湯式給湯機。
【請求項１２】
前記制御手段は、リモコンを介してユーザから間接給湯運転が指示されると、前記第２の湯を前記第２加熱手段に生成させて給湯する、
請求項１から１１の何れか１項に記載の貯湯式給湯機。
【請求項１３】
前記リモコンは、前記間接給湯運転から予め定められた時間が経過すると、前記貯湯タンクから取水した前記第１の湯を給湯する直接給湯運転への復帰を前記制御手段に指示する、
請求項１２に記載の貯湯式給湯機。
【請求項１４】
前記リモコンは、前記間接給湯運転を実施する時間帯をユーザが設定可能である、
請求項１２又は１３に記載の貯湯式給湯機。
【請求項１５】
前記制御手段は、前記熱交換器における前記第１の湯と前記市水との熱交換量を小さくする、
請求項１２から１４の何れか１項に記載の貯湯式給湯機。
【請求項１６】
前記熱交換器には、前記貯湯タンクの上部から取水した前記第１の湯が流れる一次側流路と、前記市水が流れる二次側流路とが設けられており、
前記制御手段は、リモコンを介してユーザから間接給湯運転の停止が指示されると、前記一次側流路への前記第１の湯の流入を停止させた状態で、前記第２の湯を前記第２加熱手段に生成させて給湯する、
請求項１から３の何れか１項に記載の貯湯式給湯機。
【請求項１７】
前記熱交換器により熱交換された前記第１の湯は、前記貯湯タンクの下部よりも上方に設けられた戻し口に戻される、
請求項１から１６の何れか１項に記載の貯湯式給湯機。
【発明の詳細な説明】
【技術分野】
【０００１】
本発明は、貯湯式給湯機に関する。
【背景技術】
【０００２】
従来より、ヒートポンプユニットと貯湯ユニットとを備えた貯湯式給湯機が、家庭や施設に導入されている。最近では、補助熱源ユニットを更に備えた貯湯式給湯機も開発されている。【０００３】
このような補助熱源ユニットを更に備えた貯湯式給湯機の発明が、例えば、特許文献１や特許文献２に開示されている。特許文献１の発明では、湯切れしていないときに、貯湯タンクからの温水と水を混合させて給湯し、一方、湯切れしたときに、出湯管からの湯を補助熱源で加熱して給湯する。また、特許文献２の発明では、熱媒の熱を給水に熱交換する第１熱交換器と、補助熱源の熱を給水に熱交換する第２熱交換器とを備えており、第１熱交換器で給湯目標温度が得られる場合に第１熱交換器のみで熱交換し、一方、第１熱交換器で給湯目標温度が得られない場合に、第１熱交換器と第２熱交換器の双方、または第２熱交換器のみで熱交換して給湯する。
【先行技術文献】
【特許文献】
【０００４】
【特許文献１】特開２０１０−２１０１８０号公報
【特許文献２】特開２０１１−２１４７９３号公報
【発明の概要】
【発明が解決しようとする課題】
【０００５】
しかしながら、特許文献１の発明では、貯湯タンクに流入する減圧弁、水量可変弁の後に直列で補助熱源が接続されており、減圧弁設定圧力が高くなる。この影響で、貯湯タンクの耐圧を高くする必要があるため、貯湯タンクの肉厚が厚くなり、高コストとなることが懸念される。なお、特許文献２の発明では、貯湯タンク側と給湯側で、水流路が分かれているため、貯湯タンクの耐圧を考慮することなく、給湯側の水圧を高くすることができる。それでも、貯湯タンクの熱を給湯に利用する場合、第１熱交換器で熱交換が必要となっている。【０００６】
つまり、特許文献２の発明では、貯湯タンク側の熱媒と給湯側の水との間である程度温度差が必要なため、貯湯タンクの湯を直接給湯利用する場合と比べて、給湯設定温度に対して貯湯する温度を高くしておく必要があった。このため、例えば、ヒートポンプユニットで貯湯タンクに蓄熱する場合に、ＣＯＰ（Coefficient Of Performance）が低下してしまうという問題があった。また、第１熱交換器で熱交換した後に貯湯タンクに戻る熱媒は、熱交換による温度差により給水温度より高くなるため、貯湯タンクの熱媒をヒートポンプで加熱する場合は、市水を直接沸き上げる場合よりもＣＯＰが低下してしまう。【０００７】
そのため、より効率を高めることができる貯湯式給湯機が求められていた。【０００８】
本発明は、上述のような課題を解決するためになされたものであり、より効率を高めることができる貯湯式給湯機を提供することを目的とする。
【課題を解決するための手段】
【０００９】
上記目的を達成するため、本発明に係る貯湯式給湯機は、
水を加熱して第１の湯を生成する第１加熱手段と、
前記第１加熱手段により生成された前記第１の湯を貯湯する貯湯タンクと、
前記貯湯タンクから取水した前記第１の湯と市水との熱交換により当該市水を予熱する熱交換器と、
前記熱交換器により予熱された前記市水を加熱して第２の湯を生成する第２加熱手段と、
前記貯湯タンクから取水した前記第１の湯、又は、前記第２加熱手段により生成された前記第２の湯を給湯する制御手段と、を備え、
前記市水の供給元となる給水端と前記第１の湯及び前記第２の湯の供給先となる給湯端とに対して、前記貯湯タンクと前記第２加熱手段とが並列に接続されており、
前記給水端と前記貯湯タンクの入水流路との間に、減圧弁が設けられており、
前記第２加熱手段の入水流路を、前記給水端と前記減圧弁との間から分岐させ、前記貯湯タンクに流入する圧力と前記第２加熱手段に流入する圧力とを異ならせている。
【発明の効果】
【００１０】
本発明に係る貯湯式給湯機では、より効率を高めることができる。
【図面の簡単な説明】
【００１１】
【図１】本発明の実施形態に係る貯湯式給湯機の構成を示す構成図
【図２】貯湯式給湯機の接続構成を説明するためのブロック図
【図３】沸き上げ運転時における湯水の動作経路を説明するための模式図
【図４】給湯切換弁制御を説明するためのフローチャート
【図５】直接給湯運転時における湯水の動作経路を説明するための模式図
【図６】直接給湯処理を説明するためのフローチャート
【図７】間接給湯運転時における湯水の動作経路を説明するための模式図
【図８】間接給湯処理を説明するためのフローチャート
【図９】一次側水温変化と二次側水温変化との関係を説明するための模式図
【図１０】循環ポンプの回転数と二次側流量との関係を説明するための模式図
【図１１】補助加熱処理を説明するためのフローチャート
【図１２】湯張り運転時における湯水の動作経路を説明するための模式図
【図１３】湯張り処理を説明するためのフローチャート
【図１４】各要素と制御目標との関係を説明するための模式図
【図１５】貯湯タンク側流量とヒートポンプ側流量との関係を説明するための模式図
【図１６Ａ】一日の給湯負荷を説明するためのグラフ
【図１６Ｂ】貯湯タンクにおける一日の蓄熱量の変化を説明するためのグラフ
【図１６Ｃ】ヒートポンプユニットにおける一日の加熱能力の変化を説明するためのグラフ
【図１６Ｄ】補助熱源ユニットにおける一日の加熱能力の変化を説明するためのグラフ
【図１７】他の実施形態に係る貯湯ユニットの構成を示す構成図
【図１８】他の間接給湯処理を説明するためのフローチャート
【図１９Ａ】予熱戻り水を下側に戻す具体例を示す模式図
【図１９Ｂ】予熱戻り水を下側に戻す他の具体例を示す模式図
【図１９Ｃ】予熱戻り水を中間に戻す具体例を示す模式図
【発明を実施するための形態】
【００１２】
以下、本発明の実施形態について図面を参照して詳細に説明する。なお、本明細書で使用する各図においては、共通する要素に同一の符号付けるものとする。また、本発明は、以下の実施の形態に限定されるものではなく、本発明の趣旨を逸脱しない範囲で種々に変形することが可能である。
【００１３】
＜貯湯式給湯機の構成＞
図１は、本発明の実施形態に係る貯湯式給湯機１の構成を示す構成図である。この貯湯式給湯機１は、大きく分けて、第１加熱手段であるヒートポンプユニット１００と、湯を貯湯すると共に給湯する貯湯ユニット２００と、第２加熱手段である補助熱源ユニット３００とから構成されている。また、貯湯式給湯機１には、浴槽４００と、ヒートポンプユニット１００を制御するヒートポンプコントローラ５００と、貯湯ユニット２００を制御する貯湯ユニットコントローラ６００と、補助熱源ユニット３００を制御する補助熱源コントローラ７００と、ユーザに操作されるリモコン８００とが含まれている。
【００１４】
ヒートポンプユニット１００は、圧縮機１０１と、冷媒−水熱交換器１０２と、膨張弁１０３と、蒸発器１０４とを備える。これらは、環状に接続され、冷媒を循環させるための冷凍サイクル回路（冷媒回路）が形成されている。なお、ヒートポンプユニット１００と、貯湯ユニット２００とは、ヒートポンプ入水配管１２１、及び、ヒートポンプ出湯配管１２２を介して接続されている。
【００１５】
圧縮機１０１は、冷媒を圧縮して温度及び圧力を上昇させる。なお、冷媒には、例えば、ＣＯ2、ＨＦＣ、ＨＣ、及び、ＨＦＯ等を適用可能であるが、特にこれらに限定されるものではない。圧縮機１０１は、回転数に応じて容量（単位当たりの送り出し量）を変化させることができるインバータ回路を備える。圧縮機１０１は、ヒートポンプコントローラ５００からの制御に従って、目標の加熱能力となるように回転数を調整する。
【００１６】
冷媒−水熱交換器１０２は、ヒートポンプ入水配管１２１を通じて送られる水（低温水）を目標の沸き上げ温度まで昇温加熱するための加熱源である。冷媒−水熱交換器１０２は、例えば、プレート式あるいは二重管式などの熱交換器であり、冷媒と水との間の熱交換を行う。冷媒−水熱交換器１０２における熱交換により、冷媒は放熱して温度が下降し、水は吸熱して温度が上昇する。冷媒−水熱交換器１０２は、沸き上げた湯（第１の湯）を、ヒートポンプ出湯配管１２２を通じて貯湯ユニット２００（後述する貯湯タンク２０１）に供給する。
【００１７】
膨張弁１０３は、冷媒を膨張させて温度及び圧力を下降させる。膨張弁１０３は、ヒートポンプコントローラ５００からの制御に従って弁の開度を調整する。例えば、膨張弁１０３は、冷媒の圧縮機吸入過熱度、もしくは圧縮機吐出温度が目標の温度となるように開度を調整する。
【００１８】
蒸発器１０４は、図示せぬ送風機により送られてきた外気と冷媒との間の熱交換を行う。蒸発器１０４における熱交換により冷媒は吸熱し、外気は放熱して温度が下降する。
【００１９】
貯湯ユニット２００は、主に、貯湯タンク２０１と、水−水熱交換器２０２と、循環ポンプ２０３と、吸入切換弁２０４と、吐出切換弁２０５と、タンク減圧弁２０６と、タンク混合弁２０７と、給湯減圧弁２０８と、給湯切換弁２０９とを備える。なお、貯湯ユニット２００と、補助熱源ユニット３００とは、補助熱源入水配管２２１、及び、補助熱源出湯配管２２２を介して接続されている。
【００２０】
貯湯タンク２０１は、例えば、金属（一例としてステンレス）や樹脂で形成されており、ヒートポンプ出湯配管１２２を通じて送られた湯を上部から流入させる。これにより、貯湯タンク２０１内には、上部から下部に向かって高温域の湯と低温域の水との温度成層が形成される。貯湯タンク２０１の表面には、貯湯されている湯水の温度を検出するための貯湯温度センサ２１１が高さ方向に複数設置されている。
【００２１】
水−水熱交換器２０２は、予熱取り出し流路２２３を通じて貯湯タンク２０１の上部から取水した湯（高温水）と、市水（低温水）との間の熱交換を行う。具体的に水−水熱交換器２０２は、予熱取り出し流路２２３を通じて送られる湯を流すための一次側流路と、給水端２３１から送られる市水を流すための二次側流路とを備えている。水−水熱交換器２０２における熱交換により、一次側流路を流れる湯は放熱して温度が下降し、二次側流路を流れる市水は吸熱して温度が上昇する。予熱された市水は、補助熱源入水配管２２１を通じて、補助熱源ユニット３００に供給される。
【００２２】
なお、一次側流路の出口側（吸入切換弁２０４側）には、タンク戻り温度センサ２１２が設置されており、このタンク戻り温度センサ２１２によって、低温水（放熱した湯）の温度が検出されるようになっている。また、二次側流路の入口側には、予熱流量センサ２１３が設置されており、この予熱流量センサ２１３によって、市水の流量が計測されるようになっている。更に、二次側流路の出口側には、予熱温度センサ２１４が設置されており、この予熱温度センサ２１４によって、予熱された市水の温度が検出されるようになっている。
【００２３】
循環ポンプ２０３は、ポンプ吸入配管２２４を通じて供給された水を、ポンプ吐出配管２２５を通じて送り出す。例えば、循環ポンプ２０３は、後述する沸き上げ運転（貯湯運転）時に、貯湯タンク２０１の下部（底部）から取り出した低温水をヒートポンプ入水配管１２１を通じてヒートポンプユニット１００に供給し、ヒートポンプユニット１００で沸き上げられた湯をヒートポンプ出湯配管１２２を通じて貯湯タンク２０１の上部（頂部）に戻す。その際、循環ポンプ２０３は、冷媒−水熱交換器１０２の出湯温度が目標貯湯温度となるように回転数を調整する。また、後述する間接給湯運転時に、循環ポンプ２０３は、水−水熱交換器２０２（上述した一次側流路）を通すことで温度が下がった低温水を、予熱戻し流路２２６を通じて貯湯タンク２０１の下部に戻す。
【００２４】
吸入切換弁２０４は、例えば、３方弁であり、入水口ａ，ｂと出水口ｃとを備えている。入水口ａは、配管を経由して貯湯タンク２０１（下部）と接続されている。入水口ｂは、配管を経由して水−水熱交換器２０２（一次側流路の出口）と接続されている。出水口ｃは、ポンプ吸入配管２２４を経由して循環ポンプ２０３と接続されている。吸入切換弁２０４は、沸き上げ運転時に、入水側を入水口ａに切り換え（入水口ａ−出水口ｃを開放、入水口ｂ−出水口ｃを閉塞）、ポンプ吸入配管２２４と貯湯タンク２０１の下部とを接続させる。また、吸入切換弁２０４は、間接給湯運転時に、入水側を入水口ｂに切り換え（入水口ｂ−出水口ｃを開放、入水口ａ−出水口ｃを閉塞）、ポンプ吸入配管２２４と水−水熱交換器２０２の一次側流路出口とを接続させる。
【００２５】
吐出切換弁２０５は、例えば、３方弁であり、入水口ａと出水口ｂ，ｃとを備えている。入水口ａは、ポンプ吐出配管２２５を経由して循環ポンプ２０３と接続されている。出水口ｂは、予熱戻し流路２２６を経由して貯湯タンク２０１（下部）と接続されている。出水口ｃは、ヒートポンプ入水配管１２１を経由してヒートポンプユニット１００と接続されている。吐出切換弁２０５は、沸き上げ運転時に、出水側を出水口ｃに切り換え（入水口ａ−出水口ｃを開放、入水口ａ−出水口ｂを閉塞）、ポンプ吐出配管２２５とヒートポンプ入水配管１２１とを接続させる。また、吐出切換弁２０５は、間接給湯運転時に、出水側を出水口ｂに切り換え（入水口ａ−出水口ｂを開放、入水口ａ−出水口ｃを閉塞）、ポンプ吐出配管２２５と予熱戻し流路２２６とを接続させる。
【００２６】
タンク減圧弁２０６は、給水端２３１から送られる市水を貯湯タンク２０１へ流入させる際に、予め定められたタンク圧と同等になる給湯圧力まで減圧する。なお、タンク減圧弁２０６の給水端２３１側には、給水温度センサ２１５が設置されており、この給水温度センサ２１５によって、給水される市水の温度が検出されるようになっている。
【００２７】
タンク混合弁２０７は、貯湯タンク２０１の上部から流出した湯（高温水）と、給水端２３１から送られる市水とを混合する。つまり、貯湯タンク２０１から取水した湯を給湯端２３２を通じて給湯する直接給湯運転（直接給湯モード）を行う際に、タンク混合弁２０７は、貯湯タンク２０１からの湯と市水とを混合させて、設定温度に調整しつつ、給湯端２３２を通じて給湯する。なお、タンク混合弁２０７の貯湯タンク２０１側には、タンク出湯温度センサ２１６が設置されており、このタンク出湯温度センサ２１６によって、混合前の湯の温度が検出されるようになっている。
【００２８】
給湯減圧弁２０８は、補助熱源出湯配管２２２を通じて補助熱源ユニット３００から送られた湯の圧力を、予め定められた給湯圧力まで減圧する。つまり、貯湯タンク２０１から取水した湯を用いて市水を予熱する間接給湯運転（間接給湯モード）を行う際に、この予熱した市水を元に生成された湯を減圧する。
【００２９】
給湯切換弁２０９は、例えば、３方弁であり、入水口ａ，ｂと出水口ｃとを備えている。入水口ａは、配管を経由してタンク混合弁２０７と接続されている。入水口ｂは、配管を経由して給湯減圧弁２０８と接続されている。出水口ｃは、配管を経由して給湯端２３２と接続されている。給湯切換弁２０９は、直接給湯運転時に、入水側を入水口ａに切り換え（入水口ａ−出水口ｃを開放、入水口ｂ−出水口ｃを閉塞）、給湯端２３２とタンク混合弁２０７とを接続させる。また、給湯切換弁２０９は、間接給湯運転時に、入水側を入水口ｂに切り換え（入水口ｂ−出水口ｃを開放、入水口ａ−出水口ｃを閉塞）、給湯端２３２と給湯減圧弁２０８とを接続させる。なお、給湯切換弁２０９の給湯端２３２側には、給湯温度センサ２１７が設置されており、この給湯温度センサ２１７によって、給湯される湯の温度が検出されるようになっている。同じく給湯端２３２側には、給湯流量センサ２１８が設置されており、この給湯流量センサ２１８によって、給湯される湯の流量が計測されるようになっている。
【００３０】
補助熱源ユニット３００は、主に、給湯熱交換器３０１と、追い焚き熱交換器３０２と、バーナ３０３（３０３ａ，３０３ｂ）と、水量調節弁３０４と、バイパス弁３０５と、湯張り弁３０６と、追い焚きポンプ３０７とを備える。なお、補助熱源ユニット３００と、浴槽４００とは、浴槽戻り配管３２１、及び、浴槽往き配管３２２を介して接続されている。
【００３１】
給湯熱交換器３０１は、バーナ３０３ａの熱と、市水（貯湯ユニット２００で予熱された市水）とを熱交換させる。つまり、給湯熱交換器３０１は、補助熱源入水配管２２１から水量調節弁３０４を経由して送られる予熱された市水を、バーナ３０３ａの熱で加熱して湯（第２の湯）を生成する。
【００３２】
追い焚き熱交換器３０２は、バーナ３０３ｂの熱と、浴槽４００から送られた湯とを熱交換させる。つまり、追い焚き熱交換器３０２は、追い焚きポンプ３０７により浴槽戻り配管３２１を通じて供給された浴槽４００の湯を、バーナ３０３ｂの熱で加熱する。加熱した湯は、浴槽往き配管３２２を通じて浴槽４００に戻される。
【００３３】
水量調節弁３０４は、補助熱源入水配管２２１を通じて貯湯ユニット２００から送られる予熱された市水の流量を調節する。なお、水量調節弁３０４の補助熱源入水配管２２１側には、補助熱源流量センサ３１１が設置されており、この補助熱源流量センサ３１１によって、予熱された市水の流量が計測されるようになっている。
【００３４】
バイパス弁３０５は、水量調節弁３０４を経由して送られる予熱された市水の一部を、補助熱源出湯配管２２２側へバイパスさせる。なお、バイパス弁３０５の補助熱源出湯配管２２２側には、補助熱源出湯温度センサ３１２が設置されており、この補助熱源出湯温度センサ３１２によって、補助熱源ユニット３００から出湯される湯の温度が検出されるようになっている。
【００３５】
湯張り弁３０６は、浴槽４００に湯を張る際に弁を開放し、給湯熱交換器３０１で生成された湯を、浴槽戻り配管３２１及び浴槽往き配管３２２を通じて、浴槽４００に送る。
【００３６】
ヒートポンプコントローラ５００は、ヒートポンプユニット１００を制御する。また、貯湯ユニットコントローラ６００は、貯湯ユニット２００を制御する。なお、貯湯ユニットコントローラ６００とヒートポンプコントローラ５００とは、電気的に接続されており、必要な情報を送受信する。また、補助熱源コントローラ７００は、補助熱源ユニット３００を制御する。
【００３７】
リモコン８００は、貯湯ユニットコントローラ６００及び補助熱源コントローラ７００と電気的に接続されており、必要な情報を送受信する。リモコン８００には、操作ボタンや表示部が配置されており、例えば、ユーザからの操作に応じて、貯湯ユニットコントローラ６００や補助熱源コントローラ７００に指示を与えたり、貯湯ユニットコントローラ６００や補助熱源コントローラ７００から得た情報に応じて、貯湯ユニット２００や補助熱源ユニット３００の運転状況を表示する。
【００３８】
次に、貯湯ユニットコントローラ６００を中心として、貯湯式給湯機１を説明する。図２は、貯湯式給湯機１の接続構成（一部）を説明するためのブロック図である。図２に示すように、貯湯ユニットコントローラ６００は、測定部６０１、演算部６０２、制御部６０３、及び、記憶部６０４を含んで構成されている。
【００３９】
このような構成の貯湯ユニットコントローラ６００には、入力として、貯湯温度センサ２１１、タンク戻り温度センサ２１２、予熱流量センサ２１３、予熱温度センサ２１４、給水温度センサ２１５、タンク出湯温度センサ２１６、給湯温度センサ２１７、及び、給湯流量センサ２１８が接続されている。また、貯湯ユニットコントローラ６００には、入出力として、リモコン８００が接続されている。更に、貯湯ユニットコントローラ６００には、出力として、ヒートポンプコントローラ５００、循環ポンプ２０３、吸入切換弁２０４、吐出切換弁２０５、タンク混合弁２０７、及び、給湯切換弁２０９のアクチュエータが接続されている。
【００４０】
測定部６０１は、貯湯温度センサ２１１〜給湯流量センサ２１８が検出した情報に従って、各諸量（温度及び流量）を測定する。
【００４１】
演算部６０２は、測定部６０１が計測した各諸量に基づいて、制御動作を演算する。例えば、演算部６０２は、沸き上げ運転時に、貯湯タンク２０１内の蓄熱量からヒートポンプユニット１００の動作を演算する。また、演算部６０２は、一般給湯を行う際に、貯湯タンク２０１内の蓄熱量に従って、直接給湯又は間接給湯を行うために、貯湯ユニット２００や補助熱源ユニット３００の動作を演算する。
【００４２】
制御部６０３は、演算部６０２が演算した制御動作に基づいて、ヒートポンプユニット１００、及び、循環ポンプ２０３〜給湯切換弁２０９のアクチュエータを制御する。
【００４３】
記憶部６０４は、予め定められた定数やリモコン８００から送信される設定値といった種々の情報を記憶する。例えば、記憶部６０４は、一回の給湯時に見込まれる最大熱量を示す規定値（タンク直接給湯閾値）や、再沸き上げを行うための基準値（ヒートポンプ沸き上げ閾値）を記憶する。そして、演算部６０２や制御部６０３は、必要に応じて、記憶部６０４に記憶された情報を参照し、あるいは、書き換えを行うことが可能である。
【００４４】
なお、このような測定部６０１、演算部６０２、及び、制御部６０３は、例えば、マイコンにより構成される。また、記憶部６０４は、例えば、半導体メモリによって構成される。
【００４５】
＜沸き上げ運転（貯湯運転）＞
本発明の実施形態における貯湯式給湯機１の沸き上げ運転（貯湯運転）について説明を行う。沸き上げ運転時には、貯湯ユニットコントローラ６００によって、吸入切換弁２０４、及び，吐出切換弁２０５は、以下のように制御される。
【００４６】
貯湯ユニットコントローラ６００は、吸入切換弁２０４の入水側を入水口ａに切り換え（入水口ａ−出水口ｃを開放、入水口ｂ−出水口ｃを閉塞）、ポンプ吸入配管２２４と貯湯タンク２０１の下部とを接続させる。また、貯湯ユニットコントローラ６００は、吐出切換弁２０５の出水側を出水口ｃに切り換え（入水口ａ−出水口ｃを開放、入水口ａ−出水口ｂを閉塞）、ポンプ吐出配管２２５とヒートポンプ入水配管１２１とを接続させる。
【００４７】
吸入切換弁２０４、及び，吐出切換弁２０５をこのように制御した状態で、貯湯ユニットコントローラ６００は、循環ポンプ２０３を動作させる。これにより、図３に示すように、貯湯タンク２０１の下部から取水された水（低温水）は、吸入切換弁２０４、循環ポンプ２０３、吐出切換弁２０５、ヒートポンプ入水配管１２１の順に流れ、冷媒−水熱交換器１０２に送られる。そして、冷媒−水熱交換器１０２にて冷媒との熱交換によって加熱されて沸き上げられた湯は、ヒートポンプ出湯配管１２２を通り、貯湯タンク２０１の上部へと導かれる。貯湯ユニットコントローラ６００は、このようにして、貯湯タンク２０１の下部から取り出した水を第１加熱手段であるヒートポンプユニット１００にて加熱し、沸き上げた湯を貯湯タンク２０１の上部へと送ることが可能となる。このような沸き上げ運転により、貯湯タンク２０１内には、上部から高温の湯が徐々に積層された状態で貯湯されていく。
【００４８】
このような沸き上げ運転では、例えば、リモコン８００の給湯設定温度に応じて、貯湯タンク２０１の貯湯温度が決められる。なお、ヒートポンプユニット１００で湯が沸き上げられてから実際に給湯されるまでの間に、貯湯タンク２０１の表面から放熱があること、また、タンク混合弁２０７において、市水（給水）の混合割合を０にできないことなどの理由から、給湯設定温度に対して予め定められた温度を加算して貯湯温度を決める。例えば、給湯設定温度が４０℃であれば、貯湯温度は４０＋α℃となる。リモコン８００は、貯湯ユニットコントローラ６００に対して、このように決めた貯湯温度を指令する。
【００４９】
通常、このような沸き上げ運転は、電気料金が安い深夜料金時間帯に行われる。それでも、沸き上げ運転後に、貯湯タンク２０１の蓄熱量が、予め定められた閾値（ヒートポンプ沸き上げ閾値）を下回ると、沸き上げ運転（再沸き上げ運転）が開始されるようになっている。
【００５０】
沸き上げ運転において、貯湯ユニットコントローラ６００は、ヒートポンプコントローラ５００に対して、貯湯温度である目標沸き上げ温度を指令する。そして、貯湯タンク２０１の蓄熱量が目標貯湯量になると、ヒートポンプユニット１００は、沸き上げ運転を停止する。なお、目標貯湯量は、例えば、現在からある決まった時間までに予測される給湯負荷と、現在の貯湯タンクの蓄熱量との差から算出される。予測される給湯負荷は、過去数日間の給湯負荷を学習して定めるようにするとよい。
【００５１】
＜給湯切換弁の制御＞
続いて、給湯端２３２から湯が供給される一般給湯時における給湯切換弁２０９の制御について、図４を参照して説明する。図４は、給湯切換弁制御を説明するためのフローチャートである。なお、一般給湯時には、貯湯タンク２０１からの湯が直接出湯される直接給湯モード（直接給湯運転）と、水−水熱交換器２０２で予熱された市水が補助熱源ユニット３００でさらに加熱されて出湯する間接給湯モード（間接給湯運転／給水予熱給湯運転）との何れかが実施される。給湯切換弁２０９は、直接給湯モードによる給湯と、間接給湯モードによる給湯とを切り換えるために制御される。
【００５２】
給湯切換弁制御が開始されると、貯湯ユニットコントローラ６００は、貯湯タンク２０１の蓄熱量を算出する（ステップＳ１０１）。つまり、演算部６０２は、貯湯タンク２０１の高さ方向に配置されている貯湯温度センサ２１１が検出した温度に基づいて、貯湯タンク２０１に貯湯された湯の蓄熱量を算出する。その際、演算部６０２は、貯湯タンク２０１内の湯が有する蓄熱量のうちで給湯負荷に有効な蓄熱量を算出する。例えば、一般の給湯負荷においては、貯湯タンク２０１内の湯が有する熱エネルギを混合によって市水に与えて使用するため、演算部６０２は、熱エネルギの基準温度を給水温度として貯湯タンク２０１の容積に関して積分することにより、蓄熱量を算出する。また、ここでは、予め定められた温度（一例として、４５℃）以上の湯の領域に関してのみ積分して、蓄熱量を算出してもよい。
【００５３】
貯湯ユニットコントローラ６００は、算出した蓄熱量が規定値以上か否かを判別する（ステップＳ１０２）。例えば、演算部６０２は、記憶部６０４から、１回の給湯時に見込まれる最大熱量を示す規定値（タンク直接給湯閾値）を読み出し、蓄熱量がこの規定値以上かどうかを判別する。なお、記憶部６０４は、このタンク直接給湯閾値として、例えば１回に発生する給湯負荷（一般給湯時の給湯負荷）のうち、過去数日の最大負荷（最大熱量）を記憶している。ここで、給湯負荷は、例えば、給湯流量センサ２１８が積算する給湯流量と、給湯温度センサ２１７が検出する湯の温度と給水温度センサ２１５が検出する市水の温度との温度差との積から算出する。
【００５４】
貯湯ユニットコントローラ６００は、蓄熱量が規定値以上であると判別すると（ステップＳ１０２；Ｙｅｓ）、直接給湯モードを実施する（ステップＳ１０３）。この直接給湯モードにおいて、貯湯ユニットコントローラ６００は、給湯切換弁２０９の入水側を入水口ａに切り換え（入水口ａ−出水口ｃを開放、入水口ｂ−出水口ｃを閉塞）、給湯端２３２とタンク混合弁２０７とを接続させる。
【００５５】
一方、蓄熱量が規定値以上でないと判別した場合（ステップＳ１０２；Ｎｏ）に、貯湯ユニットコントローラ６００は、間接給湯モードを実施する（ステップＳ１０４）。この間接給湯モードにおいて、貯湯ユニットコントローラ６００は、給湯切換弁２０９の入水側を入水口ｂに切り換え（入水口ｂ−出水口ｃを開放、入水口ａ−出水口ｃを閉塞）、給湯端２３２と給湯減圧弁２０８とを接続させる。
【００５６】
なお、上記の給湯切換弁制御では、貯湯タンク２０１の蓄熱量が、規定値（タンク直接給湯閾値）を下回った場合に、間接給湯モードに切り換える場合について説明したが、他の情報を基に、切り換えるようにしてもよい。例えば、貯湯温度センサ２１１の何れか、給湯設定温度＋β℃よりも低い温度を検出したときに、間接給湯モードに切り換えるようにしてもよい。また、蓄熱量と比較する規定値（タンク直接給湯閾値）を、一般的な給湯負荷のうちで大きめの固定値（一例として、１回のシャワー負荷の固定値（４０℃換算で５０Ｌ））に置き換えてもよい。更に、リモコン８００から、ユーザが任意の値を選んで規定値を設定できるようにしてもよい。
【００５７】
＜直接給湯運転＞
続いて、直接給湯モードにおける給湯運転（直接給湯運転）について説明を行う。直接給湯モードでは、上述したように、給湯切換弁２０９が、入水側を入水口ａに切り換えており、給湯端２３２とタンク混合弁２０７とが接続されている。この状態で、例えば、給湯端２３２に接続された給湯水栓（図示せず）が開かれると（給湯負荷が生じると）、図５に示すように、貯湯タンク２０１の上部から取水された湯は、タンク混合弁２０７、給湯切換弁２０９の順に流れ、給湯端２３２から給湯される。
【００５８】
以下、このような直接給湯モードにおける直接給湯処理について、図６を参照して説明する。図６は、直接給湯処理を説明するためのフローチャートである。この直接給湯処理は、例えば、給湯端２３２に接続された給湯水栓が開かれた場合に開始する。
【００５９】
貯湯ユニットコントローラ６００は、給湯流量が基準値以上となるまで待機する（ステップＳ２０１；Ｎｏ）。なお、基準値には、例えば、給湯流量センサ２１８が安定的に給湯流量を検出できる下限値が予め設定されている。この待機状態から、給湯水栓が開かれ、給湯流量が増加して、基準値以上となると（ステップＳ２０１；Ｙｅｓ）、貯湯ユニットコントローラ６００は、タンク混合弁２０７を温調制御する（ステップＳ２０２）。このとき、高温湯が貯湯タンク２０１の上部からタンク混合弁２０７に供給されるとともに、市水（低温水）がタンク減圧弁２０６を通って貯湯タンク２０１の下部に流入する。タンク混合弁２０７は、給湯端２３２に給湯する湯の温度を調節するための弁であり、貯湯タンク２０１の上部から供給される高温の湯と、タンク減圧弁２０６を介して供給される市水とを混合し、混合比を可変して給湯温度センサ２１７の検出する湯温が給湯設定温度となるように調節して出湯する。
【００６０】
貯湯ユニットコントローラ６００は、給湯流量が基準値を下回ったか否かを判別する（ステップＳ２０３）。貯湯ユニットコントローラ６００は、給湯流量が基準値を下回っていないと判別すると（ステップＳ２０３；Ｎｏ）、ステップＳ２０２の温調制御を継続する。
【００６１】
一方、給湯流量が基準値を下回ったと判別した場合（ステップＳ２０３；Ｙｅｓ）に、貯湯ユニットコントローラ６００は、直接給湯処理を終え、再び待機状態となる。
【００６２】
このような直接給湯運転において、給湯切換弁２０９は、タンク混合弁２０７と給湯端２３２とを接続しているため、補助熱源ユニット３００側に水が流れず、補助熱源ユニット３００において加熱は実施されない。
【００６３】
＜間接給湯運転（給水予熱給湯運転）＞
続いて、間接給湯モードにおける給湯運転（間接給湯運転）について説明を行う。間接給湯モードでは、上述したように、給湯切換弁２０９が、入水側を入水口ｂに切り換えており、給湯端２３２と給湯減圧弁２０８とが接続されている。この状態で、給湯負荷が生じると、図７に示すように、貯湯タンク２０１の上部から取水された湯は、予熱取り出し流路２２３、水−水熱交換器２０２（一次側流路）の順に送られる。そして、水−水熱交換器２０２にて市水（低温水）との熱交換によって放熱して温度が下降した水（低温水）となる。このように温度が下降した水は、吸入切換弁２０４、循環ポンプ２０３、吐出切換弁２０５、予熱戻し流路２２６の順に送られ、貯湯タンク２０１の下部に戻される。
【００６４】
一方、給水端２３１から供給された市水は、水−水熱交換器２０２（二次側流路）に送られる。この水−水熱交換器２０２にて湯（高温水）との熱交換によって予熱された市水は、補助熱源入水配管２２１、水量調節弁３０４、給湯熱交換器３０１の順に送られる。そして、給湯熱交換器３０１にて沸き上げられた湯は、補助熱源出湯配管２２２、給湯減圧弁２０８、給湯切換弁２０９の順に流れ、給湯端２３２から給湯される。
【００６５】
以下、このような間接給湯モードにおける間接給湯処理について、図８を参照して説明する。図８は、間接給湯処理を説明するためのフローチャートである。この間接給湯処理は、例えば、給湯端２３２に接続された給湯水栓が開かれた場合に開始する。なお、この間接給湯処理が実行される際に、補助熱源コントローラ７００では、後述する図１１の補助加熱処理が実行される。
【００６６】
貯湯ユニットコントローラ６００は、吸入切換弁２０４の入水口を、水−水熱交換器２０２側へ切り換える（ステップＳ３０１）。つまり、貯湯ユニットコントローラ６００は、吸入切換弁２０４の入水側を入水口ｂに切り換え（入水口ｂ−出水口ｃを開放、入水口ａ−出水口ｃを閉塞）、ポンプ吸入配管２２４と水−水熱交換器２０２とを接続させる。
【００６７】
貯湯ユニットコントローラ６００は、吐出切換弁２０５の出水口を、予熱戻し流路２２６側へ切り換える（ステップＳ３０２）。つまり、貯湯ユニットコントローラ６００は、吐出切換弁２０５の出水側を出水口ｂに切り換え（入水口ａ−出水口ｂを開放、入水口ａ−出水口ｃを閉塞）、ポンプ吐出配管２２５と予熱戻し流路２２６とを接続させる。
【００６８】
貯湯ユニットコントローラ６００は、予熱流量が基準値以上となるまで待機する（ステップＳ３０３；Ｎｏ）。なお、基準値には、例えば、予熱流量センサ２１３が安定的に予熱流量を検出できる下限値が予め設定されている。この待機状態から、給湯水栓が開かれ、予熱流量が増加して、基準値以上となると（ステップＳ３０３；Ｙｅｓ）、貯湯ユニットコントローラ６００は、循環ポンプ２０３を温調制御する（ステップＳ３０４）。このとき、循環ポンプ２０３が作動し、貯湯タンク２０１の上部から取水した湯が予熱取り出し流路２２３を通じて水−水熱交換器２０２（一次側流路）に流入し、更に、吸入切換弁２０４、循環ポンプ２０３、吐出切換弁２０５の順に流れて予熱戻し流路２２６から再び貯湯タンク２０１の下部に戻る。一方で、給水端２３１から水−水熱交換器２０２（二次側流路）に流入した市水（低温水）は、補助熱源入水配管２２１を通って補助熱源ユニット３００に流入する。このとき、水−水熱交換器２０２では、一次側流路の湯で、二次側流路の市水を加熱するため、一次側流路の湯は温度が低下して貯湯タンク２０１の下部へ戻り、一方、二次側流路の市水は温度が上昇して（予熱されて）補助熱源ユニット３００に流入する。貯湯ユニットコントローラ６００は、循環ポンプ２０３を温調制御して、回転数を制御し流量を調節する。以下、詳細に説明する。
【００６９】
図９に、水−水熱交換器２０２における一次側流路と二次側流路の水の温度変化を示す。水−水熱交換器２０２では、この図９に示すように、対向流で熱交換する。循環ポンプ２０３の温調制御は、例えば、タンク戻り温度センサ２１２が検出する一次側流路出口水温Ｔw１ｏと、給水温度センサ２１５が検出する二次側流路入口水温Ｔw２ｉとの温度差ΔＴwＬが予め定められた値で一定になるように回転数を制御する。
【００７０】
具体的に、給水側の二次側流量が小さい場合では、例えば、循環ポンプ２０３の回転数が大きく一次側流量が過大であると、Ｔw１ｏが高くなり、貯湯タンク２０１の下部に流入する温度が高くなる。そのため、温調制御により、ΔＴwＬが予め定められた値になるように、循環ポンプ２０３の回転数を小さくする。一方で、二次側流量が大きい場合では、例えば、循環ポンプ２０３の回転数が小さく一次側流量が過小であると、Ｔw１ｏが低くなるが、必要な給水予熱の加熱量を得るために、温調制御により、ΔＴwＬが予め定められた値になるよう循環ポンプ２０３の回転数を大きくする。すなわち、ΔＴwＬに応じて循環ポンプ２０３の回転数を制御すると、二次側流量に対して加熱量と熱交換効率を考慮した適切な一次側流量を水−水熱交換器２０２に流すことができる。そのため、ΔＴwＬを適正に制御すると、貯湯タンク２０１の下部の温度を低く保つことができ、また、再沸き上げ時にヒートポンプ入水配管１２１から供給する水の温度（ヒートポンプ入水温度）を低くできるため、特に冷媒がＣＯ2の時に有効である。また、二次側流量に合わせて必要な熱交換量を確保できるため、補助熱源ユニット３００に供給する市水の予熱効果を十分に得ることができる。
【００７１】
また、図１０に示すように、予熱流量センサ２１３が検出する二次側流量に対して、循環ポンプ２０３の回転数を制御してもよい。循環ポンプ２０３の回転数と一次側流量とは、ほぼ比例関係にあるので、加熱される二次側流量に対して適切な一次側流量を制御できる。
【００７２】
図８に戻って、貯湯ユニットコントローラ６００は、予熱流量が基準値を下回ったか否かを判別する（ステップＳ３０５）。貯湯ユニットコントローラ６００は、予熱流量が基準値を下回っていないと判別すると（ステップＳ３０５；Ｎｏ）、ステップＳ３０４の温調制御を継続する。
【００７３】
一方、予熱流量が基準値を下回ったと判別した場合（ステップＳ３０５；Ｙｅｓ）に、貯湯ユニットコントローラ６００は、間接給湯処理を終え、再び待機状態となる。
【００７４】
続いて、補助熱源コントローラ７００にて実施される補助加熱処理について、図１１を参照して説明する。図１１は、補助加熱処理を説明するためのフローチャートである。この補助加熱処理は、上述した間接給湯処理と並行して開始される。
【００７５】
補助熱源コントローラ７００は、補助熱源流量が基準値以上となるまで待機する（ステップＳ４０１；Ｎｏ）。なお、基準値には、例えば、補助熱源流量センサ３１１が安定的に補助熱源流量を検出できる下限値が予め設定されている。この待機状態から、給湯水栓が開かれ、補助熱源流量が増加して、基準値以上となると（ステップＳ４０１；Ｙｅｓ）、補助熱源コントローラ７００は、バーナ３０３ａを点火する（ステップＳ４０２）。バーナ３０３ａが燃料を燃焼させることで、給湯熱交換器３０１では市水（予熱された市水）が加熱される。
【００７６】
補助熱源コントローラ７００は、バーナ３０３ａ、水量調整弁３０４、及び、バイパス弁３０５を温調制御する（ステップＳ４０３）。例えば、補助熱源コントローラ７００は、補助熱源出湯温度センサ３１２の検出温度が目標給湯温度となるように、バーナ３０３ａの燃焼量を制御する。同時に、補助熱源コントローラ７００は、水量調節弁３０４を制御して、補助熱源ユニット３００に流入する市水（予熱された市水）の水流量を調節する。更に同時に、補助熱源コントローラ７００は、バイパス弁３０５を制御し、給湯熱交換器３０１をバイパスする水流量を調節することで、給湯温度が目標給湯温度になるように制御する。このようにして、補助熱源ユニット３００で目標給湯温度となった湯は、補助熱源出湯配管２２２を通って再び貯湯ユニット２００に流入し、給湯減圧弁２０８で減圧された後、給湯切換弁２０９を通って給湯される。
【００７７】
補助熱源コントローラ７００は、補助熱源流量が基準値を下回ったか否かを判別する（ステップＳ４０４）。補助熱源コントローラ７００は、補助熱源流量が基準値を下回っていないと判別すると（ステップＳ４０４；Ｎｏ）、ステップＳ４０３の温調制御を継続する。
【００７８】
一方、補助熱源流量が基準値を下回ったと判別した場合（ステップＳ４０４；Ｙｅｓ）に、補助熱源コントローラ７００は、バーナ３０３ａを消火し（ステップＳ４０５）、補助加熱処理を終え、再び待機状態となる。
【００７９】
このような補助加熱処理において、上述したように、補助熱源ユニット３００で目標給湯温度となった湯は、補助熱源出湯配管２２２を通って再び貯湯ユニット２００に流入し、給湯減圧弁２０８で減圧された後、給湯切換弁２０９を通って給湯される。このとき、給湯切換弁２０９は、給湯減圧弁２０８と給湯端２３２とを接続しているため、貯湯タンク２０１からの直接出湯は実施されない。
【００８０】
なお、予熱流量センサ２１３は、水−水熱交換器２０２の二次側流路の出口側に設けてもよい。
【００８１】
また、貯湯ユニットコントローラ６００は、予熱温度センサ２１４が検出する予熱された市水の温度（予熱温度）を目標に、循環ポンプ２０３の回転数を制御してもよい。具体的に、循環ポンプ２０３の回転数が高くなると、水−水熱交換器２０２の熱交換量が増加し予熱温度が高くなる。そして、予熱温度を高くするほど、同一給湯設定温度に対して補助熱源ユニット３００による加熱量が減少して、バーナ３０３ａの燃焼量を減少できる。一方で予熱温度が高くなりすぎると、補助熱源ユニット３００の入水温度が高くなり、補助熱源ユニット３００側で給湯温度が制御できなくなったり、バーナ３０３ａ燃焼が停止したりする虞がある。よって、貯湯ユニットコントローラ６００は、例えば、予熱温度の目標値を、補助熱源ユニット３００の入水温度上限値（一例として、３０℃）になるように、循環ポンプ２０３の回転数を調節すればよい。
【００８２】
このように、予熱温度を目標に一次側流量を制御すると、ΔＴwＬを目標に一次側流量を制御する場合と比べて、一次側のタンク戻り温度が高くなり、再沸き上げ運転時にヒートポンプユニット１００の入水温度が高くなる。また、ＣＯ2のように高圧側で凝縮せず超臨界状態となる冷媒に比べて、ＨＦＣ、ＨＣ、ＨＦＯ等のように高圧側で凝縮する冷媒を使用する場合は、入水温度の上昇に対してＣＯＰの低下が小さい。このため、予熱温度を目標に一次側流量を制御する方法は、特に高圧側で凝縮する冷媒を用いる場合に有効である。
【００８３】
＜湯張り運転＞
続いて、浴槽４００に湯を張る湯張り運転について説明を行う。湯張り運転では、貯湯タンク２０１における蓄熱量の大小に拘わらず、上述した間接給湯モードが実施される。湯張り運転が開始されると、図１２に示すように、貯湯タンク２０１の上部から取水された湯は、予熱取り出し流路２２３、水−水熱交換器２０２（一次側流路）の順に送られる。そして、水−水熱交換器２０２にて市水（低温水）との熱交換によって放熱して温度が下降した水（低温水）となる。このように温度が下降した水は、吸入切換弁２０４、循環ポンプ２０３、吐出切換弁２０５、予熱戻し流路２２６の順に送られ、貯湯タンク２０１の下部に戻される。
【００８４】
一方、給水端２３１から供給された市水は、水−水熱交換器２０２（二次側流路）に送られる。この水−水熱交換器２０２にて湯（高温水）との熱交換によって予熱された市水は、補助熱源入水配管２２１、水量調節弁３０４、給湯熱交換器３０１の順に送られる。そして、給湯熱交換器３０１にて沸き上げられた湯は、湯張り弁３０６、浴槽戻り配管３２１の順に流れ、浴槽４００に給湯される。なお、図１２では、省略しているが、浴槽往き配管３２２からも、浴槽４００に給湯される。
【００８５】
以下、このような湯張り運転を行う湯張り処理について、図１３を参照して説明する。図１３は、湯張り処理を説明するためのフローチャートである。なお、この湯張り処理は、上述した図８の間接給湯処理と並行して実行される。
【００８６】
補助熱源コントローラ７００は、リモコン８００から湯張り指令がなされるまで待機する（ステップＳ５０１；Ｎｏ）。この待機状態から、リモコン８００より湯張り指令がなされると（ステップＳ５０１；Ｙｅｓ）、補助熱源コントローラ７００は、湯張り弁３０６を開放し（ステップＳ５０２）、バーナ３０３ａを点火する（ステップＳ５０３）。バーナ３０３ａが燃料を燃焼させることで、給湯熱交換器３０１では市水（予熱された市水）が加熱される。
【００８７】
補助熱源コントローラ７００は、バーナ３０３ａ、水量調整弁３０４、及び、バイパス弁３０５を温調制御する（ステップＳ５０４）。湯張り弁３０６が開かれると、補助熱源ユニット３００に予熱された市水が流入して、補助熱源流量センサ３１１、水量調節弁３０４を通った後、一方は給湯熱交換器３０１で加熱され、他方はバイパス弁３０５でバイパスした後合流し、湯張り弁３０６を通って浴槽往き配管３２２、浴槽戻り配管３２１の両方から浴槽４００へ湯が供給される。このとき、補助熱源コントローラ７００は、例えば、補助熱源出湯温度センサ３１２の検出温度が目標湯張り温度となるように、バーナ３０３ａの燃焼量を制御する。同時に、補助熱源コントローラ７００は、水量調節弁３０４を制御して、補助熱源ユニット３００に流入する市水（予熱された市水）の水流量を調節する。更に同時に、補助熱源コントローラ７００は、バイパス弁３０５を制御し、給湯熱交換器３０１をバイパスする水流量を調節することで、給湯温度が目標湯張り温度になるように制御する。
【００８８】
補助熱源コントローラ７００は、湯張り積算流量が湯張り量以上となったか否かを判別する（ステップＳ５０５）。つまり、湯張り運転中では、補助熱源流量センサ３１１が流量を積算しているため、補助熱源コントローラ７００は、この積算流量がリモコン８００で設定された湯張り湯量以上となったかどうかを判別する。補助熱源コントローラ７００は、湯張り積算流量が湯張り量以上でないと判別すると（ステップＳ５０５；Ｎｏ）、ステップＳ５０４の温調制御を継続する。
【００８９】
一方、湯張り積算流量が湯張り量以上となったと判別した場合（ステップＳ５０５；Ｙｅｓ）に、補助熱源コントローラ７００は、バーナ３０３ａを消火し（ステップＳ５０６）、湯張り弁３０６を閉鎖し（ステップＳ５０７）、湯張り処理を終え、再び待機状態となる。
【００９０】
このような湯張り処理では、ステップＳ５０５にて、補助熱源流量センサ３１１が積算した流量を用いて、湯張りの終了を判別する場合について説明したが、他に、浴槽４００の水位を検出する水位センサ（図示せず）を用いて、湯張りの終了を判別するようにしてもよい。
【００９１】
湯張り運転の場合、貯湯タンク２０１における蓄熱量の大小に拘わらず、間接給湯モードが実施される。なお、一般給湯運転と湯張り運転とが同時に実施される場合には、貯湯タンク２０１における蓄熱量が予め定められた値よりも大きければ、一般給湯運転について直接給湯モードを実施する。一方、貯湯タンク２０１における蓄熱量が予め定められた値以下であれば、一般給湯運転についても間接給湯モードを実施する。
【００９２】
＜追い焚き・保温運転＞
続いて、追い焚き・保温運転について説明を行う。リモコン８００の設定において、浴槽４００の湯を一定の温度に保つ保温モードとなっているとき、又は、リモコン８００にて浴槽４００の湯を再加熱する追い焚きボタンが押されると、追い焚き・保温運転を実施する。追い焚き・保温運転時には、湯張り弁３０６が閉じられている。
【００９３】
補助熱源コントローラ７００は、追い焚きポンプ３０７を回転させて、浴槽４００、浴槽戻り配管３２１、追い焚きポンプ３０７、追い焚き熱交換器３０２、浴槽往き配管３２２の順に湯を循環させる。このとき、補助熱源コントローラ７００は、バーナ３０３ｂを点火して、循環する湯を加熱する。なお、追い炊き・保温運転では、間接給湯処理は実施されない。
【００９４】
＜沸き上げ運転と間接給湯運転の同時運転＞
沸き上げ運転（貯湯運転）と、間接給湯運転（給水予熱給湯運転）とを同時実施する場合について説明する。なお、沸き上げ運転中に間接給湯運転を開始してもよいし、逆に、間接給湯運転中に沸き上げ運転を開始してもよい。
【００９５】
このとき、貯湯ユニットコントローラ６００は、図１４に示すように、各要素のアクチュエータを制御する。一般的に、水−水熱交換器２０２の二次側流路を流れる給湯流量は、最大で約１５〜２０Ｌ／ｍｉｎ程度の流量が流れる。このため、これに合わせて一次側流量も大きくなる。一方で沸き上げ運転時にヒートポンプユニット１００に流れる沸き上げ流量は、例えば、冬期の給水温度９℃、貯湯温度６５℃の場合に、加熱能力が４．５ｋＷとすると、約１．１５Ｌ／ｍｉｎである。よって、循環ポンプ２０３を沸き上げ運転と間接給湯運転に共通して利用する場合に、ヒートポンプユニット１００に流れる沸き上げ流量と水−水熱交換器２０２の一次側流路を流れる流量とを独立して制御する必要があり、また、水−水熱交換器２０２の一次側の水の一部をヒートポンプユニット１００に流して、残りを貯湯タンク２０１の下部に戻す必要がある。
【００９６】
具体的に貯湯ユニットコントローラ６００は、水−水熱交換器２０２における一次側流路出口水温Ｔw１ｏと、二次側流路入口水温Ｔw２ｉとの温度差ΔＴwＬが一定になるように（一定の値を維持するように）、循環ポンプ２０３の回転数を制御する。また、貯湯ユニットコントローラ６００は、吐出切換弁２０５の開度を制御し、ヒートポンプ沸き上げ流量を調整することで、ヒートポンプユニット１００からの出湯温度を制御する。更に、貯湯ユニットコントローラ６００は、吸入切換弁２０４をポンプ吸入配管２２４と水−水熱交換器２０２（一次側流路）とが接続するように切り換える。
【００９７】
図１５に、吐出切換弁２０５の開度と流量の関係を示す。吐出切換弁２０５は、開度ステップが０から最大まで変化すると、貯湯タンク側流量とヒートポンプ側流量の合計が１００％となり、かつ、両者の流量比が変化する。よって、図１４のように制御する際に、貯湯ユニットコントローラ６００は、循環ポンプ２０３の回転数を制御して間接給湯運転のために水−水熱交換器２０２の一次側流路に必要な流量を調整し、また、吐出切換弁２０５の開度ステップを制御して沸き上げ運転に必要なヒートポンプユニット１００への流量と貯湯タンク２０１の下部に戻る残りの流量との比を調整する。
【００９８】
＜一日の運転動作例＞
図１６Ａ〜１６Ｄを参照して、一日の運転動作例を説明する。図１６Ａは、一日の給湯負荷を示している。図１６Ｂは、貯湯タンク２０１における一日の蓄熱量の変化を示している。図１６Ｃは、ヒートポンプユニット１００における一日の加熱能力の変化を示している。そして、図１６Ｄは、補助熱源ユニット３００における一日の加熱能力の変化を示している。
【００９９】
図１６Ｃに示すように、一般的に、７：００より前に設定されている深夜時間帯に、ヒートポンプユニット１００を動作させ（沸き上げ運転を実施し）、図１６Ｂに示すように、貯湯タンク２０１の蓄熱量を増やす。貯湯タンク２０１に蓄熱させる蓄熱量は、貯湯タンク２０１に定められた最大蓄熱量でもよく、また、予想される給湯負荷に合わせて求めた蓄熱量であってもよい。
【０１００】
図１６Ａに示すように、７：００から１８：００付近まで、給湯水栓（一例として、洗面所や台所の蛇口）からの一般給湯負荷が発生する。これらの一般給湯負荷は、入浴などに比べて小さいため、貯湯ユニットコントローラ６００は、直接給湯運転を実施する。なお、一般給湯が発生していない時間では、貯湯タンク２０１からの放熱により、徐々に蓄熱量が減少する。
【０１０１】
図１６Ａに示すように、１９：００付近に湯張り負荷が生じると、図１６Ｄに示すように、補助熱源ユニット３００では湯張り運転が実施される。このとき、貯湯ユニット２００では、間接給湯運転（給水予熱運転）が実施されるため、図１６Ｂ及び図１６Ｄに示すように、貯湯タンク２０１の蓄熱量減少と、補助熱源ユニット３００による加熱が同時に発生する。湯張り運転が実施されると、図１６Ｂに示すように、貯湯タンク２０１の蓄熱量が大幅に減少するため、タンク直接給湯閾値よりも蓄熱量が下回る。この後、シャワーなどの一般給湯負荷が発生するが、貯湯ユニットコントローラ６００は、貯湯タンク２０１の蓄熱量がヒートポンプ沸き上げ閾値よりも下回るまで、沸き上げ運転は行わず、間接給湯運転を実施する。
【０１０２】
一般給湯負荷が連続して発生し、貯湯タンク２０１の蓄熱量が、ヒートポンプ沸き上げ閾値よりも下回ると、貯湯ユニットコントローラ６００は、沸き上げ運転を開始する。その後、貯湯タンク２０１の蓄熱量がタンク直接給湯閾値よりも大きくなるまで、貯湯ユニットコントローラ６００は、一般給湯負荷が発生した場合に、間接給湯運転を実施する。このようにして、沸き上げ運転中に間接給湯運転が開始されると、貯湯ユニットコントローラ６００は、上述した同時運転を実施する。貯湯タンク２０１の蓄熱量目標値は、その日に発生する残りの負荷を予測、積算して求め、深夜時間帯の沸き上げ運転よりも小さくなる。
【０１０３】
沸き上げ運転が終了した後に一般給湯が発生すると、貯湯タンク２０１の蓄熱量がタンク直接給湯閾値よりも大きければ、貯湯ユニットコントローラ６００は、直接給湯運転を実施し、一方、蓄熱量がタンク直接給湯閾値よりも小さければ、間接給湯運転を実施する。なお、一日の終わりである２４：００に蓄熱量が最低となるように制御するが、２４：００以降に一般給湯負荷が発生すると予想される場合は、蓄熱量を残してもよい。
【０１０４】
＜効果＞
以上、説明したように、貯湯タンク２０１の蓄熱量が一般給湯負荷を賄うのに十分な場合に、貯湯タンク２０１から直接給湯して貯湯タンク２０１の下部に温度の低い市水が流入するため、ヒートポンプユニット１００の沸き上げ運転時のＣＯＰを高くできる。特に、冷媒にＣＯ2を用いる場合では、高圧側が超臨界サイクルとなり、ヒートポンプユニット１００の入水温度が低いほどＣＯＰを高くできるため、本実施の形態が有効である。
【０１０５】
また、貯湯ユニット２００には、予熱流量センサ２１３を設け、また、補助熱源ユニット３００には補助熱源流量センサ３１１を設けているため、例えば、一般給湯運転で補助熱源ユニットに流入する市水を貯湯ユニット２００で予熱する場合も、貯湯ユニットコントローラ６００と補助熱源コントローラ７００とで通信することなく、それぞれ独立してアクチュエータを制御できる。
【０１０６】
また、補助熱源ユニット３００に流入する市水を、タンク減圧弁２０６を通過する前に分岐して、水−水熱交換器２０２で予熱した後、補助熱源ユニット３００に流入するようにしているため、例えば、水−水熱交換器２０２にプレート式熱交換器といった圧力損失の低い熱交換器を用いることで、補助熱源ユニット３００に流入する給水圧力を高くすることができる。また、水量調節弁３０４、給湯熱交換器３０１、バイパス弁３０５など、給湯流量が大きくなると圧力損失が大きくなる要素を通過した後、貯湯タンク２０１の設定圧力と同じ二次側圧力となるように給湯減圧弁２０８で減圧しているため、圧力損失による給湯流量の減少を抑制できる。また、給湯減圧弁２０８の代わりにタンク混合弁２０７と給湯切換弁２０９との間に逆止弁を設けて、タンク混合弁２０７から給湯切換弁２０９の方向のみに湯の流れを制限することで、補助熱源ユニット３００側の水圧が貯湯ユニット２００にかからないようにしてもよい。
【０１０７】
また、補助熱源ユニット３００に流入する市水を、タンク減圧弁２０６に流入する前で分岐させているため、貯湯タンク２０１に流入する圧力と、補助熱源ユニット３００に流入する圧力を別々に設定できる。これによって、補助熱源ユニット３００に流入する水圧を高く、貯湯タンク２０１に流入する水圧を低く設定できるため、貯湯タンク２０１を低コストに製造できる。また、貯湯タンク２０１の大型化が容易であり、ヒートポンプユニット１００で沸き上げる比率を大きくできるため、より省エネとなる。
【０１０８】
また、一般給湯運転において、蓄熱量が大きい間では、貯湯タンク２０１からの直接給湯運転を実施し、蓄熱量が小さくなると、間接給湯運転を実施するため、貯湯タンク２０１の蓄熱を有効利用できる。
【０１０９】
また、タンク戻り水温と給水温度との温度差に応じて、循環ポンプ２０３の回転数を制御しているため、タンク戻り水温を低くして、ヒートポンプユニット１００で再沸き上げする際にＣＯＰの低下を抑制できる。
【０１１０】
また、沸き上げ運転と間接給湯運転とが同時に発生しても、循環ポンプ２０３の回転数と吐出切換弁２０５の開度とで、沸き上げ流量と予熱流量を個別に調節できるため、ポンプ１台で低コストに水回路を構成できる。
【０１１１】
また、直接給湯運転を一般給湯で実施し、湯張り運転の場合に、間接給湯運転のみとしているため、例えば、湯張り運転を直接給湯運転で実施する場合と比較して、貯湯タンク２０１の大きさを小さくすることができる。また、本実施形態のように補助熱源ユニット３００側に浴槽４００との接続配管（浴槽戻り配管３２１、浴槽往き配管３２２）が接続されている場合、貯湯タンク２０１の湯で直接給湯運転によって湯張りしようとすると、貯湯ユニット２００から補助熱源ユニット３００への湯張りのための接続配管がさらに追加されて水回路が複雑となる。このため、湯張り運転時における貯湯タンク２０１の熱利用を市水の予熱（給水予熱）とすることにより、水回路を簡素化できる。
【０１１２】
また、一般的に高い給水圧力が必要なガス給湯器に対して、給水圧力を下げずに予熱が可能であるため、既設のガス給湯器に貯湯式給湯機を追加設置する場合に有効である。
【０１１３】
また、貯湯タンク２０１内の湯の温度が４５℃未満で数日間放置されると、レジオネラ菌などの雑菌が繁殖する恐れがあるため、給湯利用する前にヒートポンプユニット１００で高温に（例えば６５℃以上）再沸き上げする必要がある。その際、例えば、再沸き上げするときの湯の温度が４０℃以上ある場合に、これを直接ヒートポンプユニット１００で再沸き上げすると入水温度が高くＣＯＰが低下してしまう。これに対して、間接給湯運転で貯湯温度を低下させた後、再沸き上げすることで、再沸き上げのＣＯＰを向上させて、かつ、給水予熱で熱を有効利用できる。また、ヒートポンプユニット１００の入水温度が低いと沸き上げ運転の高圧側圧力をより低くできるため、冷媒回路の設計圧力を低くできる。
【０１１４】
また、直接給湯運転から間接給湯運転への切り換えに、過去の給湯負荷（１回の給湯）の最大値（タンク直接給湯閾値）を用いているため、一般給湯を利用中に貯湯タンク２０１の湯切れが発生する可能性が低くなる。また、残った蓄熱量を間接給湯運転に利用できるため、閾値をある程度大きくしても蓄熱量が無駄にならない。
【０１１５】
＜他の実施形態１＞
図１７に他の実施形態に係る貯湯ユニット９００の構成を示す。貯湯ユニット９００は、上述した貯湯ユニット２００と比べて、間接給湯運転で市水への加熱に利用した後の水を、貯湯タンク２０１に戻す戻し位置を、貯湯タンク２０１の中間と下側（下部）とで切り換えることが可能となっている。すなわち、貯湯ユニット９００は、予熱戻し流路２２６の途中に、戻し位置切換弁９０１が設けられている。
【０１１６】
戻し位置切換弁９０１は、例えば、３方弁であり、入水口ａと出水口ｂ，ｃとを備えている。入水口ａは、予熱戻し流路２２６を経由して吐出切換弁２０５と接続されている。出水口ｂは、配管を経由して貯湯タンク２０１の下部と接続されている。出水口ｃは、配管を経由して貯湯タンク２０１の中間と接続されている。
【０１１７】
以下、このような貯湯ユニット９００における間接給湯処理について、図１８を参照して説明する。図１８は、他の実施形態に係る間接給湯処理を説明するためのフローチャートである。この間接給湯処理は、例えば、給湯端２３２に接続された給湯水栓が開かれた場合に開始する。なお、図８の間接給湯処理と同じ処理には、同じ、参照符号が付されている。また、この間接給湯処理が実行される際に、補助熱源コントローラ７００では、上述した図１１の補助加熱処理が実行される。
【０１１８】
貯湯ユニットコントローラ６００は、吸入切換弁２０４の入水口を、水−水熱交換器２０２側へ切り換え（ステップＳ３０１）、また、吐出切換弁２０５の出水口を、予熱戻し流路２２６側へ切り換える（ステップＳ３０２）。
【０１１９】
貯湯ユニットコントローラ６００は、貯湯タンク２０１における中間の温度が、一次側流路出口の制御目標温度であるＴw２ｉ＋ΔＴwＬよりも高いか否かを判別する（ステップＳ６０１）。貯湯ユニットコントローラ６００は、貯湯タンク２０１における中間の温度を、貯湯温度センサ２１１が検出した温度分布から算出する。
【０１２０】
貯湯ユニットコントローラ６００は、中間の温度がＴw２ｉ＋ΔＴwＬよりも高いと判別すると（ステップＳ６０１；Ｙｅｓ）、戻し位置切換弁９０１の出力口を貯湯タンク２０１の下部側に切り換える（ステップＳ６０２）。
【０１２１】
例えば、図１９Ａに示すように、貯湯タンク２０１の温度分布が、一般的な給湯設定温度（約４０℃）よりも高い４５℃以上の高温部と、市水の温度よりも低い２０℃未満の低温部とで分かれており、貯湯タンク２０１における中間の温度が高温部であったとする。この場合、中間の温度がＴw２ｉ＋ΔＴwＬよりも高くなるため、戻し位置切換弁９０１の出力口が貯湯タンク２０１の下部側に接続され、予熱後の一次側の水（予熱戻り水）は、貯湯タンク２０１の下側に戻される。
【０１２２】
また、図１９Ｂに示すように、貯湯タンク２０１の温度分布が、２０〜４５℃の中温部と、低温部とで分かれており、貯湯タンク２０１における中間の温度が中温部であったとする。この場合、予熱後の一次側の水を貯湯タンク２０１の中間に戻すと、中温水と戻りの水が混合してロスが発生するため、戻し位置切換弁９０１の出力口が貯湯タンク２０１の下部側に接続され、予熱後の一次側の水は、貯湯タンク２０１の下側に戻される。
【０１２３】
一方、中間の温度がＴw２ｉ＋ΔＴwＬよりも高くないと判別した場合（ステップＳ６０１；Ｎｏ）に、貯湯ユニットコントローラ６００は、戻し位置切換弁９０１の出力口を貯湯タンク２０１の中間側に切り換える（ステップＳ６０３）。
【０１２４】
例えば、図１９Ｃに示すように、貯湯タンク２０１の温度分布が、中温部と、低温部とで分かれており、貯湯タンク２０１における中間の温度が低温部であったとする。この場合、予熱後の一次側の水を貯湯タンク２０１の下側に戻すと、中温水と戻りの水が混合して低温部の温度が上昇するため、戻し位置切換弁９０１の出力口が貯湯タンク２０１の中間側に接続され、予熱後の一次側の水は、貯湯タンク２０１の中間に戻される。
【０１２５】
貯湯ユニットコントローラ６００は、予熱流量が基準値以上となるまで待機する（ステップＳ３０３；Ｎｏ）。この待機状態から、給湯水栓が開かれ、予熱流量が増加して、基準値以上となると（ステップＳ３０３；Ｙｅｓ）、貯湯ユニットコントローラ６００は、循環ポンプ２０３を温調制御する（ステップＳ３０４）。
【０１２６】
貯湯ユニットコントローラ６００は、予熱流量が基準値を下回ったか否かを判別する（ステップＳ３０５）。貯湯ユニットコントローラ６００は、予熱流量が基準値を下回っていないと判別すると（ステップＳ３０５；Ｎｏ）、ステップＳ３０４の温調制御を継続する。
【０１２７】
一方、予熱流量が基準値を下回ったと判別した場合（ステップＳ３０５；Ｙｅｓ）に、貯湯ユニットコントローラ６００は、補助加熱処理を終え、再び待機状態となる。
【０１２８】
このように、貯湯ユニット９００では、給水予熱に利用した後の一次側の戻し位置を、貯湯タンク中間と下側で切り換えるようにしているので、中温水を有効利用しつつヒートポンプユニット１００の入水温度を低く維持できる。
【０１２９】
＜他の実施形態２＞
上記の実施形態では、貯湯ユニットコントローラ６００が、貯湯タンク２０１の蓄熱量が少なくなると、間接給湯運転を実施する場合について説明したが、貯湯タンク２０１の蓄熱量に拘わらず、ユーザがリモコン８００で間接給湯運転を選択できるようにしてもよい。例えば、昼間に給湯を多量に使用する場合、貯湯タンク２０１が湯切れを起こしてヒートポンプユニット１００の再沸き上げが発生する場合がある。この場合、電気料金が高いとランニングコストが高くなる。このとき、リモコン８００を使用して間接給湯運転を選択すると、貯湯タンク２０１の蓄熱量がタンク直接給湯閾値よりも大きくても、間接給湯運転を実施する。これによって、給湯に補助熱源ユニット３００を利用するので、貯湯タンク２０１の蓄熱利用比率を下げることができるため、湯切れによって高い電気料金で沸き上げすることを抑制できる。このとき、間接給湯運転の選択から一定時刻が経過した後に、再び直接給湯運転に戻るようにすることで、ユーザが直接給湯運転に戻し忘れても影響がでないようにすることができる。
【０１３０】
また、予め電気料金が高い時間帯をリモコン８００で設定しておき、設定された時間帯で間接給湯運転を実施するようにしてもよい。
【０１３１】
また、リモコン８００で間接給湯運転を選択した場合に、給水予熱の熱交換量を小さくするようにしてもよい。このとき、上述したように貯湯タンク２０１の蓄熱量が規定値よりも減少した場合の間接給湯運転に比べて、ΔＴwＬの目標値を大きくすると、一次側流量が小さくなり、給水予熱の熱交換量を小さくできる。これによって、貯湯タンク２０１の蓄熱利用比率をより下げることができる。あるいは、リモコン８００で間接給湯運転を停止できるようにして、循環ポンプ２０３を回転させないようにすると、水−水熱交換器２０２で給水予熱されないため、補助熱源ユニット３００の利用比率を１００％にすることができる。
【０１３２】
また、上記の実施形態において、貯湯ユニットコントローラ６００によって実行されるプログラムは、ＣＤ−ＲＯＭ（Compact Disc Read Only Memory）、ＤＶＤ（Digital Versatile Disc）、ＭＯ（Magneto-Optical Disk）、ＵＳＢメモリ、メモリカード等のコンピュータ読み取り可能な記録媒体に格納して配布することも可能である。そして、かかるプログラムを特定の又は汎用のコンピュータにインストールすることによって、当該コンピュータを上記の実施形態における貯湯ユニットコントローラ６００として機能させることも可能である。
【０１３３】
また、上記のプログラムをインターネットといった通信ネットワーク上のサーバ装置が有するディスク装置に格納しておき、例えば、搬送波に重畳させて、コンピュータにダウンロードするようにしてもよい。また、通信ネットワークを介してプログラムを転送しながら起動実行することによっても、上述の処理を達成することができる。さらに、プログラムの全部又は一部をサーバ装置上で実行させ、その処理に関する情報をコンピュータが通信ネットワークを介して送受信しながらプログラムを実行することによっても、上述の処理を達成することができる。
【０１３４】
なお、上述の機能を、ＯＳ（Operating System）が分担して実現する場合又はＯＳとアプリケーションとの協働により実現する場合等には、ＯＳ以外の部分のみを上記の記録媒体に格納して配布してもよく、また、コンピュータにダウンロードしてもよい。
【０１３５】
本発明は、広義の精神と範囲を逸脱することなく、様々な実施形態及び変形が可能である。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【産業上の利用可能性】
【０１３６】
本発明は、家庭内や施設で使用される貯湯式給湯機に好適に採用され得る。
【符号の説明】
【０１３７】
１  貯湯式給湯機、１００  ヒートポンプユニット、１０１  圧縮機、１０２  冷媒−水熱交換器、１０３  膨張弁、１０４  蒸発器、１２１  ヒートポンプ入水配管、１２２  ヒートポンプ出湯配管、２００，９００  貯湯ユニット、２０１  貯湯タンク、２０２  水−水熱交換器、２０３  循環ポンプ、２０４  吸入切換弁、２０５  吐出切換弁、２０６  タンク減圧弁、２０７  タンク混合弁、２０８  給湯減圧弁、２０９  給湯切換弁、９０１  戻し位置切換弁、２１１  貯湯温度センサ、２１２  タンク戻り温度センサ、２１３  予熱流量センサ、２１４  予熱温度センサ、２１５  給水温度センサ、２１６  タンク出湯温度センサ、２１７  給湯温度センサ、２１８  給湯流量センサ、２２１  補助熱源入水配管、２２２  補助熱源出湯配管、２２３  予熱取り出し流路、２２４  ポンプ吸入配管、２２５  ポンプ吐出配管、２２６  予熱戻し流路、２３１  給水端、２３２  給湯端、３００  補助熱源ユニット、３０１  給湯熱交換器、３０２  追い焚き熱交換器、３０３ａ，３０３ｂ  バーナ、３０４  水量調節弁、３０５  バイパス弁、３０６  湯張り弁、３０７  追い焚きポンプ、３１１  補助熱源流量センサ、３１２補助熱源出湯温度センサ、３２１  浴槽戻り配管、３２２  浴槽往き配管、４００  浴槽、５００  ヒートポンプコントローラ、６００  貯湯ユニットコントローラ、６０１  測定部、６０２  演算部、６０３  制御部、６０４  記憶部、７００  補助熱源コントローラ、８００  リモコン、９０１  戻し位置切換弁
【図１】
0006682001.tif 000002
【図２】
0006682001.tif 000003
【図３】
0006682001.tif 000004
【図４】
0006682001.tif 000005
【図５】
0006682001.tif 000006
【図６】
0006682001.tif 000007
【図７】
0006682001.tif 000008
【図８】
0006682001.tif 000009
【図９】
0006682001.tif 000010
【図１０】
0006682001.tif 000011
【図１１】
0006682001.tif 000012
【図１２】
0006682001.tif 000013
【図１３】
0006682001.tif 000014
【図１４】
0006682001.tif 000015
【図１５】
0006682001.tif 000016
【図１６Ａ】
0006682001.tif 000017
【図１６Ｂ】
0006682001.tif 000018
【図１６Ｃ】
0006682001.tif 000019
【図１６Ｄ】
0006682001.tif 000020
【図１７】
0006682001.tif 000021
【図１８】
0006682001.tif 000022
【図１９Ａ】
0006682001.tif 000023
【図１９Ｂ】
0006682001.tif 000024
【図１９Ｃ】
0006682001.tif 000025